(57)【要約】【課題】冗長構成とした光送受信盤の間に共有化できるメモリおよび直接通信する手段がない構成の場合でも、光送受信盤間のデータ同期を保障する。【解決手段】制御基盤１１は、系切替え時にＰＯＮインタフェース１３ａ，１３ｂに対して同一の管理番号を割り当てる管理番号割当部１１１を備え、ＰＯＮインタフェース１３ａ，１３ｂは、ＯＮＵ３からのリンクアップに伴い、ＯＮＵ３の管理情報を管理番号を付して更新する管理情報更新部１３１と、管理情報を他方に通知する管理情報通知部１３３と、管理情報が通知された場合に、当該管理情報の管理番号が自機の管理番号と一致する場合には当該管理情報のデータ同期を行い、不一致の場合には当該管理情報を破棄するデータ同期部１３４とを備えた。【選択図】図７
2015130543.tif 000002
【特許請求の範囲】
【請求項１】
対向局との間で光信号の送受信を行う現用系および予備系の光送受信盤と、前記光送受信盤の系を切替える制御基盤とを備えたＯＬＴにおいて、
前記制御基盤は、
前記光送受信盤の系が切替えられた際に、前記両光送受信盤に対して同一の管理番号を新たに割り当てる管理番号割当部を備え、
前記光送受信盤は、
自機が現用系である場合に、前記対向局からのリンクアップに伴い、当該対向局に関する管理情報を、前記管理番号割当部により割り当てられた管理番号を付して更新する管理情報更新部と、
前記管理情報更新部により更新された管理情報を、他方の光送受信盤に通知する管理情報通知部と、
他方の光送受信盤から管理情報が通知された場合において、当該管理情報に付された管理番号が自機に割り当てられた管理番号と一致する場合には、当該管理情報のデータ同期を行い、不一致の場合には、当該管理情報を破棄するデータ同期部とを備えた
ことを特徴とするＯＬＴ。
【請求項２】
前記データ同期部による管理情報のデータ同期中に前記対向局からのリンクアップがあった場合に、当該データ同期部によるデータ同期を中止させるとともに、当該対向局をリセットさせるリセット部を備えた
ことを特徴とする請求項１記載のＯＬＴ。
【発明の詳細な説明】
【技術分野】
【０００１】
この発明は、加入者側装置（ＯＮＵ：Ｏｐｔｉｃａｌ  Ｎｅｔｗｏｒｋ  Ｕｎｉｔ）が光伝送媒体を経由して接続され、イーサネット（イーサネット／登録商標）通信を行うＰＯＮ（Ｐａｓｓｉｖｅ  Ｏｐｔｉｃａｌ  Ｎｅｔｗｏｒｋ）システムの局側装置（ＯＬＴ：Ｏｐｔｉｃａｌ  Ｌｉｎｅ  Ｔｅｒｍｉｎａｌ）において、現用系および予備系の光送受信盤（ＰＯＮインタフェース）を１：１で冗長構成したＯＬＴに関するものである。
【背景技術】
【０００２】
ＰＯＮシステムは、センター局に配置されるＯＬＴに、光ファイバおよび光スプリッタを経由して複数のＯＮＵが接続されることで構成されている。そして、ＯＬＴからＯＮＵへのデータ送信では全てのデータをＯＬＴから全ＯＮＵに送信し、ＯＮＵは自端末宛に送信されたデータのみを受信し他のデータを破棄するという方法を採用している。
【０００３】
この１本のファイバで複数のＯＮＵを収容するＰＯＮシステムでは、光ファイバやＯＬＴに障害が発生するとＯＬＴと全ＯＮＵ間に光リンクの切断が発生し、ユーザへサービス提供ができなくなる。そこで、このサービス断につながる装置障害を減らす方法として、予備系装置を設けて冗長構成をとる方法が広く用いられている。例えば特許文献１では、ＯＬＴがＮ個の現用系光送受信盤に対し１個の予備系光送受信盤を設けるＮ：１の冗長構成をとったＰＯＮシステムを開示している。この場合、Ｎ個の現用系光送受信盤は、対応するＮ本の光ファイバと光カプラを経由して複数のＯＮＵに接続する。この場合、冗長構成とした光送受信盤のパッケージが違うパッケージであるためにデータ共有化もしくはデータ同期が必要となるが、データ同期しないで高速に切り替えるように工夫している。
【０００４】
また、特許文献２では、ＯＬＴが１個の光送受信盤に現用系光送受信部と予備系光送受信部を１：１の冗長構成としたＰＯＮシステムを開示している。この場合には、光送受信盤の光送受信部を冗長化することで、現用系の光送受信部が故障しても高速に予備系の光送受信部を切り替えることを可能とし、加入者のサービス断時間を短くしている。また、この構成の場合には同一パッケージ内で制御を実施するため、データの同期をする必要がない。
【先行技術文献】
【特許文献】
【０００５】
【特許文献１】特開２０１１−１２４７０２号公報
【特許文献２】特開２００９−２０６５４０号公報
【発明の概要】
【発明が解決しようとする課題】
【０００６】
一方、ＯＬＴが１個の光送受信盤に現用系および予備系の光送受信部を１：１で冗長構成したＰＯＮシステムでは、光送受信盤が故障した場合に、長時間のサービス断が発生する可能性がある。このため、サービス断時間を少なくし信頼性をあげるために１個の現用系光送受信盤と１個の予備系光送受信盤で１：１の冗長構成をとったＰＯＮシステムとしている。
【０００７】
しかし、この構成において現用系から予備系への切替えを実施した場合、ＯＮＵと予備系光送受信盤との光リンク確立後に主信号導通のための設定を実施していた従来のやり方では、サービス断時間が長くなるという課題がある。そこで、現用系光送受信盤とＯＮＵの光リンクが確立した際に実施している主信号の導通設定と同一の設定を、現用系光送受信盤で設定したタイミングで予備系光送受信盤に対しても実施する。そして、光回線および光送受信盤に故障などの障害が検出された場合に、単純にＯＮＵとＯＬＴの接続経路を切り替える。これにより、現用系光送受信盤とＯＮＵとで導通が確立していた状態から予備系光送受信盤とＯＮＵとで導通できる状態に経路変更でき、サービス断時間を少なくすることができる。
【０００８】
しかしながら、従来の構成においては、現用系と予備系の光送受信盤間で、データ共有可能な共通メモリや、現用系と予備系にて直接データを同期するため通信するための構成がなかった。このため、各基盤と通信するための仕組みを持つ制御基盤を冗長時のデータ同期するための通信経路に介在させ、データを同期する必要があった。しかしながら、この場合、タイミングによってはメッセージの交差などにより状態ズレが発生しやすいという課題があった。
【０００９】
この発明は、上記のような課題を解決するためになされたもので、冗長構成とした光送受信盤の間に共有化できるメモリおよび直接通信する手段がない構成の場合でも、光送受信盤間のデータ同期を保障することが可能なＯＬＴを提供することを目的としている。
【課題を解決するための手段】
【００１０】
この発明に係るＯＬＴは、対向局との間で光信号の送受信を行う現用系および予備系の光送受信盤と、光送受信盤の系を切替える制御基盤とを備え、制御基盤は、光送受信盤の系が切替えられた際に、両光送受信盤に対して同一の管理番号を新たに割り当てる管理番号割当部を備え、光送受信盤は、自機が現用系である場合に、対向局からのリンクアップに伴い、当該対向局に関する管理情報を、管理番号割当部により割り当てられた管理番号を付して更新する管理情報更新部と、管理情報更新部により更新された管理情報を、他方の光送受信盤に通知する管理情報通知部と、他方の光送受信盤から管理情報が通知された場合において、当該管理情報に付された管理番号が自機に割り当てられた管理番号と一致する場合には、当該管理情報のデータ同期を行い、不一致の場合には、当該管理情報を破棄するデータ同期部とを備えたものである。
【発明の効果】
【００１１】
この発明によれば、上記のように構成したので、現用系および予備系の光送受信盤に対して付与した管理番号を基にデータ同期を管理することができるため、状態ズレの発生を防ぐことができ、冗長構成とした光送受信盤の間に共有化できるメモリおよび直接通信する手段がない構成の場合でも、光送受信盤間のデータ同期を保障することができる。
【図面の簡単な説明】
【００１２】
【図１】この発明の実施の形態１に係るＰＯＮシステムの構成を示す図である。
【図２】この発明の実施の形態１における制御基盤の構成を示す図である。
【図３】この発明の実施の形態１における光送受信盤の構成を示す図である。
【図４】この発明の実施の形態１における制御基盤による系切替えを示す図である。
【図５】従来のＯＬＴによる同期処理での課題を示すシーケンスである。
【図６】この発明の実施の形態１に係るＯＬＴによる通常時の同期処理を示すシーケンスである。
【図７】この発明の実施の形態１に係るＯＬＴによる同期処理において、データ同期中に系切替えが発生した場合を示すシーケンスである。
【図８】この発明の実施の形態２における光送受信盤の構成を示す図である。
【図９】この発明の実施の形態２に係るＯＬＴによる同期処理において、データ同期中に系切替えが発生した場合を示すシーケンスである。
【発明を実施するための形態】
【００１３】
以下、この発明の実施の形態について図面を参照しながら詳細に説明する。
実施の形態１．
図１はこの発明の実施の形態１に係るＰＯＮシステムの構成を示す図である。
ＰＯＮシステムは、図１に示すように、センター局に配置されるＯＬＴ１に、光スプリッタ２を経由して複数のＯＮＵ（対向局）３ａ〜３ｃ（以下、特に区別する必要が無い場合には単にＯＮＵ３と称す）が接続されることで構成されている。なお、光スプリッタ２は、光信号の光伝送媒体である光ファイバを分岐する機器である。
【００１４】
ＯＬＴ１は、図１に示すように、制御基盤１１、光スプリッタ１２およびＰＯＮインタフェース（光送受信盤）１３ａ，１３ｂから構成されている。なお、図１では、ＰＯＮインタフェース１３ａがＡＣＴ（現用系）に設定され、ＰＯＮインタフェース１３ｂがＳＴＡＮＢＹ（予備系）に設定されている場合を示している。
【００１５】
制御基盤１１は、光スプリッタ１２およびＰＯＮインタフェース１３ａ，１３ｂの動作を制御するものである。この制御基盤１１の内部構成については後述する。
【００１６】
光スプリッタ１２は、光信号の光伝送媒体である光ファイバを分岐する機器である。この光スプリッタ１２は、制御線によって制御基盤１１と接続され、制御基盤１１からの制御に応じて、接続先のＰＯＮインタフェース１３ａ，１３ｂを切替えることができる。
【００１７】
ＰＯＮインタフェース１３ａ，１３ｂは、光スプリッタ１２を経由してＯＮＵ３との間で光信号の送受信を行う基盤である。このＰＯＮインタフェース１３ａ，１３ｂは、制御線によって制御基盤１１と接続され、制御基盤１１からの制御に応じて系の切替え（ＡＣＴ／ＳＴＡＮＢＹ設定）が行われる。このＰＯＮインタフェース１３ａ，１３ｂの内部構成については後述する。
【００１８】
次に、制御基盤１１の内部構成について、図２を参照しながら説明する。
制御基盤１１は、図２に示すように、管理番号割当部１１１および系切替部１１２から構成されている。
【００１９】
管理番号割当部１１１は、基盤起動時および系切替部１１２によりＰＯＮインタフェース１３ａ，１３ｂの系が切替えられた際に、両ＰＯＮインタフェース１３ａ，１３ｂに対して同一の管理番号を新たに割り当てるものである。
系切替部１１２は、現用系のＰＯＮインタフェースの障害検出部１３２により障害が検出された場合に、ＰＯＮインタフェース１３ａ，１３ｂに対して系の切替えを行わせるものである。
【００２０】
次に、ＰＯＮインタフェース１３ａ，１３ｂの内部構成について、図３を参照しながら説明する。なお、以下では、ＰＯＮインタフェース１３ａについて説明を行うが、ＰＯＮインタフェース１３ｂについても同様である。
ＰＯＮインタフェース１３ａは、図３に示すように、管理情報更新部１３１、障害検出部１３２、管理情報通知部１３３およびデータ同期部１３４から構成されている。
【００２１】
管理情報更新部１３１は、自機が現用系である場合に、ＯＮＵ３からのリンクアップに伴い、当該ＯＮＵ３に関する管理情報を、管理番号割当部１１１により割り当てられた最新の管理番号を付して更新するものである。
障害検出部１３２は、自機が現用系である場合に、障害の検出を行うものである。ここで、障害検出部１３２は、障害を検出した場合には、その旨を制御基盤１１の系切替部１１２に通知する。
【００２２】
管理情報通知部１３３は、管理情報更新部１３１により更新された管理情報を示す同期データを他方のＰＯＮインタフェースに通知するものである。なお、この同期データには、管理情報と同一の管理番号が付されている。
データ同期部１３４は、他方のＰＯＮインタフェースの管理情報通知部１３３から同期データが通知された場合に、当該同期データに付された管理番号と、自機に割り当てられた管理番号とを比較し、一致する場合には当該同期データを用いて管理情報のデータ同期を行い、不一致の場合には当該同期データを破棄するものである。
【００２３】
次に、上記のように構成されたＰＯＮシステムにおいて、図１に示す状態から系の切替えを行う場合について、図４を参照しながら説明する。
この場合、制御基盤１１の系切替部１１２は、まず、光スプリッタ１２に対して制御指示１１２１を出力することで、光スプリッタ１２の接続先を切替えさせる。これにより、光スプリッタ１２は、接続先を、図１に示すＰＯＮインタフェース１３ａから、図４に示すＰＯＮインタフェース１３ｂに切替える。
そして、光スプリッタ１２の経路が切替わった後、制御基盤１１の系切替部１１２は、ＰＯＮインタフェース１３ａに対して切替え制御指示１１２２を出力することで、ＰＯＮインタフェース１３ａをＡＣＴからＳＴＡＮＢＹへと設定変更させる。また、制御基盤１１の系切替部１１２は、ＰＯＮインタフェース１３ｂに対して切替え制御指示１１２３を出力することで、ＳＴＡＮＢＹからＡＣＴへと設定変更させる。以上により、系の切替えを完了することができる。
【００２４】
次に、本実施の形態に係るＯＬＴ１の同期処理での効果を示すため、従来のＯＬＴ１００の同期処理での課題について、図５を参照しながら説明する。なお以下では、初期状態として、ＯＬＴ１００のＰＯＮインタフェース１００３ａがＡＣＴに設定され、ＰＯＮインタフェース１００３ｂがＳＴＡＮＢＹに設定されているものとする。
まず、ＯＮＵ３に光ファイバが接続されると、当該ＯＮＵ３は、ＯＬＴ１００のうち、ＡＣＴに設定されているＰＯＮインタフェース１００３ａに対してリンクアップを実施してくる。
【００２５】
そして、このＯＮＵ３からのリンクアップを契機に、ＯＬＴ１００では、まず、ＰＯＮインタフェース１００３ａが、当該ＯＮＵ３の情報に基づいて、ＭＡＣアドレス等の管理情報を更新する（ステップＳＴ５０１）。
次いで、ＰＯＮインタフェース１００３ａは、ＯＮＵ３に対する導通設定を実施する（ステップＳＴ５０２）。
【００２６】
また、ＰＯＮインタフェース１００３ａは、系の切替えを実施可能とするため、ＳＴＡＮＢＹに設定されているＰＯＮインタフェース１００３ｂとの間で、データ同期を実施する（ステップＳＴ５０３）。この際、ＰＯＮインタフェース１００３ａは、ＰＯＮインタフェース１００３ｂとは接続されていないため、制御基盤１００１を経由して、更新した管理情報を同期データとして送る。その後、ＰＯＮインタフェース１００３ｂでは、この同期データに基づいて、管理情報の更新を行う。
【００２７】
一方、ＡＣＴに設定されているＰＯＮインタフェース１００３ａにて障害が検出されると、サービス断時間を短くするため、他の処理よりも優先して系の切替えを実施する必要がある。
そのため、例えば図５に示すように同期データの送信中に障害が検出された場合、ＰＯＮインタフェース１００３ａは、この同期データ通知よりも優先して、制御基盤１００１に対して障害を検出したことを示す通知（障害検出通知）を行う（ステップＳＴ５０４）。したがって、この場合には、同期データ通知が中断されるため、ＰＯＮインタフェース１００３ｂによるデータ同期は実施されない。
【００２８】
次いで、障害検出通知を受け取った制御基盤１００１は、他の処理よりも優先して、ＰＯＮインタフェース１００３ａに対して、ＳＴＡＮＢＹへ設定変更させるための切替え制御指示を出力する（ステップＳＴ５０５）。これにより、ＰＯＮインタフェース１００３ａはＡＣＴからＳＴＡＮＢＹへと設定変更する。
次いで、制御基盤１００１は、ＰＯＮインタフェース１００３ｂに対して、ＡＣＴへ設定変更させるための切替え制御指示を出力する（ステップＳＴ５０６）。これにより、ＰＯＮインタフェース１００３ｂはＳＴＡＮＢＹからＡＣＴへと設定変更する。
【００２９】
そして、制御基盤１００１によりＰＯＮインタフェース１００３ａ，１００３ｂの系が切替えられることで、ＯＮＵ３は、新たにＡＣＴに設定されたＰＯＮインタフェース１００３ｂに対して、リンクアップを実施してくる。
次いで、新たにＡＣＴに設定されたＰＯＮインタフェース１００３ｂは、事前に管理情報を更新していないため、ＯＮＵ３からのリンクアップを契機に管理情報を更新する（ステップＳＴ５０７）。
【００３０】
一方、ＰＯＮインタフェース１００３ａからは、上記系の切替えにより、処理が後回しにされていた同期データ通知が実施される。しかしながら、ＰＯＮインタフェース１００３ｂでは、既に管理情報の更新を実施しているため、当該同期データが不要となる。そして、この同期データが、状態ズレの要因となり得る。
【００３１】
次に、本実施の形態に係るＯＬＴ１の同期処理について、図６を参照しながら説明する。まず、通常時での同期処理について説明する。なお、以下では、初期状態として、図１に示すように、ＰＯＮインタフェース１３ａがＡＣＴに設定され、ＰＯＮインタフェース１３ｂがＳＴＡＮＢＹに設定されているものとする。
このＯＬＴ１の同期処理では、図６に示すように、まず、制御基盤１１の管理番号割当部１１１は、基盤起動時に、ＡＣＴに設定されているＰＯＮインタフェース１３ａおよびＳＴＡＮＢＹに設定されているＰＯＮインタフェース１３ｂに対して、同一の管理番号（＝１）をそれぞれ割り当てる（ステップＳＴ６０１，６０２）。
その後、ＯＮＵ３に光ファイバが接続されると、当該ＯＮＵ３は、ＯＬＴ１のうち、ＡＣＴに設定されているＰＯＮインタフェース１３ａに対してリンクアップを実施してくる。
【００３２】
そして、このＯＮＵ３からのリンクアップを契機に、ＰＯＮインタフェース１３ａの管理情報更新部１３１は、当該ＯＮＵ３の情報に基づいて、ＭＡＣアドレス等の管理情報を更新する（ステップＳＴ６０３）。この際、管理情報更新部１３１は、管理情報に、制御基盤１１により割り当てられた管理番号（＝１）を付加する。
次いで、ＰＯＮインタフェース１３ａは、ＯＮＵ３に対する導通設定を実施する（ステップＳＴ６０４）。
【００３３】
また、ＰＯＮインタフェース１３ａの管理情報通知部１３３は、系の切替えを実施可能とするため、ＳＴＡＮＢＹに設定されているＰＯＮインタフェース１３ｂとの間で、データ同期を実施する（ステップＳＴ６０５）。この際、ＰＯＮインタフェース１３ａは、図１に示すように、ＰＯＮインタフェース１３ｂとは接続されていないため、制御基盤１１を経由して、更新した管理情報を同期データとして送る。よって、この同期データには、管理情報に付加されている管理番号（＝１）が付されている。
【００３４】
次いで、ＳＴＡＮＢＹに設定されているＰＯＮインタフェース１３ｂのデータ同期部１３４は、ＡＣＴに設定されているＰＯＮインタフェース１３ａからの同期データに付された管理番号と、自機に割り当てられた管理番号とを比較する。ここで、図６に示す例の場合、同期データの管理番号（＝１）と、ＰＯＮインタフェース１３ｂの管理番号（＝１）とが一致するため、データ同期部１３４は、この同期データを用いて管理情報を更新する（ステップＳＴ６０６）。
以上のように動作することで、通常時（障害が検出されていない場合）には、ＡＣＴに設定されているＰＯＮインタフェース１３ａにて更新された管理情報を、ＳＴＡＮＢＹに設定されているＰＯＮインタフェース１３ｂでも更新することができ、データ同期を行うことができる。
【００３５】
次に、図５の課題を解決するための本実施の形態による手法について、図７を参照しながら説明する。なお、図７に示すステップＳＴ７０１〜７０５までの処理は、図６に示すステップＳＴ６０１〜６０５の処理と同様であり、その説明を省略する。
【００３６】
図５と同様に、同期データの送信中に、ＰＯＮインタフェース１３ａの障害検出部１３２にて障害が検出された場合、障害検出部１３２は、この同期データ通知よりも優先して、制御基盤１１に対して障害を検出したことを示す通知（障害検出通知）を行う（ステップＳＴ７０６）。したがって、この場合には、同期データ通知が中断されるため、ＰＯＮインタフェース１３ｂによるデータ同期は実施されない。
【００３７】
次いで、障害検出通知を受け取った制御基盤１１の系切替部１１２は、他の処理よりも優先して、ＰＯＮインタフェース１３ａに対して、ＳＴＡＮＢＹへ設定変更させるための切替え制御指示を出力する（ステップＳＴ７０７）。この際、管理番号割当部１１１は、切替え制御指示に新たな管理番号（＝２）をインクリメントする。これにより、ＰＯＮインタフェース１３ａは、ＡＣＴからＳＴＡＮＢＹへと設定変更するとともに、新たな管理番号（＝２）が割り当てられる。
次いで、制御基盤１１の系切替部１１２は、ＳＴＡＮＢＹに設定されているＰＯＮインタフェース１３ｂに対して、ＡＣＴへ設定変更させるための切替え制御指示を出力する（ステップＳＴ７０８）。この際、管理番号割当部１１１は、切替え制御指示に、ＰＯＮインタフェース１３ａに割り当てた新たな管理番号と同一の管理番号（＝２）をインクリメントする。これにより、ＰＯＮインタフェース１３ｂは、ＳＴＡＮＢＹからＡＣＴへと設定変更するとともに、新たな管理番号（＝２）が割り当てられる。
【００３８】
そして、制御基盤１１によりＰＯＮインタフェース１３ａ，１３ｂの系が切替えられることで、ＯＮＵ３は、新たにＡＣＴに設定されたＰＯＮインタフェース１３ｂに対して、リンクアップを実施してくる。
次いで、新たにＡＣＴに設定されたＰＯＮインタフェース１３ｂの管理情報更新部１３１は、事前に管理情報を更新していないため、ＯＮＵ３からのリンクアップを契機に管理情報を更新する（ステップＳＴ７０９）。この際、管理情報更新部１３１は、管理情報に、制御基盤１１により割り当てられた管理番号（＝２）を付加する。
【００３９】
一方、ＰＯＮインタフェース１３ａの管理情報通知部１３３からは、上記系の切替えにより、処理が後回しにされていた同期データ通知が実施される。なお、この同期データには、管理情報に付加されている管理番号（＝１）が付されている。
次いで、ＳＴＡＮＢＹに設定されているＰＯＮインタフェース１３ｂのデータ同期部１３４は、ＡＣＴに設定されているＰＯＮインタフェース１３ａからの同期データに付された管理番号と、自機に割り当てられた管理番号とを比較する。ここで、図７に示す例の場合、同期データの管理番号（＝１）と、ＰＯＮインタフェース１３ｂの管理番号（＝２）とが異なるため、データ同期部１３４は、管理番号不一致であると判断し、この同期データを破棄する（ステップＳＴ７１０）。これにより、状態ズレの発生を抑制することができる。
【００４０】
以上のように、この実施の形態１によれば、現用系から予備系への系の切り替え時に同一の管理番号を割り当てるように構成したので、現用系にてＯＮＵ３とのリンクが確立し、そのリンク確立情報（管理情報）を予備系に同期させるためのメッセージ（同期データ）を送信中に系の切替えが発生するようなクロスシーケンスが発生したとしても、各ＰＯＮインタフェース１３ａ，１３ｂは、切替え時に新たな管理番号に更新されるため、状態の不整合を発生させるメッセージの検出・破棄を行うことができ、冗長構成したＰＯＮインタフェース１３ａ，１３ｂ間のデータ同期を保障することができる。
【００４１】
実施の形態２．
実施の形態１では、ＰＯＮインタフェース１３ａ，１３ｂのデータ同期とＯＮＵ３のリンクアップとが交差しない場合について示した。それに対して、実施の形態２では、データ同期とＯＮＵ３のリンクアップとが交差する場合について示す。
図８はこの発明の実施の形態２におけるＰＯＮインタフェース１３ａの構成を示す図である。図８に示す実施の形態２におけるＰＯＮインタフェース１３ａは、図３に示す実施の形態１におけるＰＯＮインタフェース１３ａにリセット部１３５を追加したものである。その他の構成は同様であり、同一の符号を付してその説明を省略する。なお、ＰＯＮインタフェース１３ｂの内部構成は、ＰＯＮインタフェース１３ａと同様であり、その説明を省略する。
【００４２】
リセット部１３５は、データ同期部１３４によるデータ同期中にＯＮＵ３からのリンクアップがあった場合に、データ同期部１３４によるデータ同期を中止させるとともに、当該ＯＮＵ３をリセットさせるものである。
【００４３】
次に、上記のように構成されたＯＬＴ１において、図５の課題を解決するための本実施の形態による手法について、図９を参照しながら説明する。なお、図９では、ＰＯＮインタフェース１３ａ，１３ｂのデータ同期とＯＮＵ３のリンクアップとが交差する場合について示す。
【００４４】
図７に示す実施の形態１の同期処理との違いは、まず、同期データが、ＯＮＵ３のリンクアップより先に通知される点である（ステップＳＴ９０５）。そして、データ同期とＯＮＵ３のリンクアップが競合する点である（ステップＳＴ９０９）。
【００４５】
この場合、図９に示すように障害発生時に、制御基盤１１の系切替部１１２は、ＰＯＮインタフェース１３ａ，１３ｂに対してそれぞれ切替え制御指示を行う（ステップＳＴ９０７，９０８）。その後、ＰＯＮインタフェース１３ａの管理情報通知部１３３から同期データが通知されることで、ＰＯＮインタフェース１３ｂのデータ同期部１３４はデータ同期を開始する（ステップＳＴ９０９）。しかしながら、その直後にＯＮＵ３からのリンクアップが実施されることで、ＰＯＮインタフェース１３ｂのリセット部１３５は、データ同期通知を契機に実施される管理情報更新とＯＮＵ３のリンクアップを契機に実施される管理情報更新との整合性を保つため、データ同期部１３４によるデータ同期を中止させるとともに、ＯＮＵ３をリセットさせる（ステップＳＴ９１０）。
その後、ＯＮＵ３では、リセットした後、再度、ＡＣＴに設定されているＰＯＮインタフェース１３ｂに対してリンクアップを実施する。よって、このＯＮＵ３からのリンクアップを契機に、ＰＯＮインタフェース１３ｂの管理情報更新部１３１は、管理情報の更新を行うことができる。
【００４６】
以上のように、この実施の形態２によれば、データ同期中にＯＮＵ３からのリンクアップがあった場合に、データ同期を中止させるとともにＯＮＵ３をリセットさせるように構成したので、データ同期とＯＮＵ３のリンクアップとが競合する場合においても、状態不整合の発生を防ぐことができ、冗長構成したＰＯＮインタフェース１３ａ，１３ｂ間のデータ同期を保障することができる。
【００４７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４８】
１  ＯＬＴ、２  光スプリッタ、３，３ａ〜３ｃ  ＯＮＵ（対向局）、１１  制御基盤、１２  光スプリッタ、１３ａ，１３ｂ  光送受信盤（ＰＯＮインタフェース）、１１１  管理番号割当部、１１２  系切替部、１３１  管理情報更新部、１３２  障害検出部、１３３  管理情報通知部、１３４  データ同期部、１３５  リセット部。
【図１】
2015130543.tif 000003
【図２】
2015130543.tif 000004
【図３】
2015130543.tif 000005
【図４】
2015130543.tif 000006
【図５】
2015130543.tif 000007
【図６】
2015130543.tif 000008
【図７】
2015130543.tif 000009
【図８】
2015130543.tif 000010
【図９】
2015130543.tif 000011